(57)【要約】【目的】簡単に設置することができるようにする。【構成】マンションのベランダ等の天井面Ａに取り付けられる断面略凹字形状の上側ガイド１００と、マンションのベランダ等の床面Ｂに取り付けられ、前記上側ガイド１００の下側に位置する断面略凹字形状の下側ガイド２００と、前記上側ガイド１００に嵌合される上側嵌合部材３００と、前記下側ガイド２００に嵌合される下側嵌合部材４００と、前記上側嵌合部材３００と下側嵌合部材４００との間に張設される紐体５００とを有している。【選択図】　　　図１
2004105056.tif 000002
【特許請求の範囲】
【請求項１】
マンションのベランダ等の天井面に取り付けられる断面略凹字形状の上側ガイドと、マンションのベランダ等の床面に取り付けられ、前記上側ガイドの下側に位置する断面略凹字形状の下側ガイドと、前記上側ガイドに嵌合される上側嵌合部材と、前記下側ガイドに嵌合される下側嵌合部材と、前記上側嵌合部材と下側嵌合部材との間に張設される紐体とを具備したことを特徴とする鳥害防止具。
【請求項２】
前記上側嵌合部材及び下側嵌合部材は、同じものであって、両側面に逆歯が形成された凹部が形成されており、前記逆歯は、紐体を引っ張ることは許容するが、その逆は許容しないことを特徴とする請求項１記載の鳥害防止具。
【請求項３】
前記上側嵌合部材と下側嵌合部材との一方にのみ、両側面に逆歯が形成された凹部が形成されており、前記逆歯は、紐体を引っ張ることは許容するが、その逆は許容しないことを特徴とする請求項１記載の鳥害防止具。
【請求項４】
前記上側ガイドと下側ガイドとの少なくとも一方には、所定のピッチで隔壁が形成されており、隔壁と隔壁との間に上側嵌合部材及び下側嵌合部材が嵌合可能な隔壁空間が形成されていることを特徴とする請求項１、２又は３記載の鳥害防止具。
【請求項５】
マンションのベランダ等の天井面に取り付けられる上側ガイドと、マンションのベランダ等の床面に取り付けられ、前記上側ガイドの下側に位置する下側ガイドと、前記上側ガイドに嵌合される上側嵌合部材と、前記下側ガイドに嵌合される下側嵌合部材と、前記上側嵌合部材と下側嵌合部材との間に張設される紐体とを具備しており、前記上側ガイド及び下側ガイドには、それぞれ上側嵌合部材及び下側嵌合部材が嵌合される複数個の嵌合穴が等間隔で形成されており、前記上側嵌合部材は、前記嵌合穴に回転可能に嵌合し、前記紐体は上側嵌合部材を回転させることで上側嵌合部材に巻き取られ、前記嵌合穴と上側嵌合部材との間には上側嵌合部材の回転を係止する係止手段が設けられていることを特徴とする鳥害防止具。
【請求項６】
前記上側嵌合部材は、中腹部が紐体を巻き取るために他の部分より小径に形成されていることを特徴とする請求項５記載の鳥害防止具。
【請求項７】
前記上側嵌合部材は、上側ガイドの嵌合穴に嵌合された状態で上側ガイドから覗く面に、凹部が形成されていることを特徴とする請求項５又は６記載の鳥害防止具。
【請求項８】
前記上側嵌合部材は、前記凹部が形成された面と対向する面には上側ガイドの嵌合穴に連通して開設された支持穴に嵌まり込む支持突起が形成されていることを特徴とする請求項５、６又は７記載の鳥害防止具。
【請求項９】
マンションのベランダ等の天井面に取り付けられる上側ガイドと、マンションのベランダ等の床面に取り付けられ、前記上側ガイドの下側に位置する下側ガイドと、前記上側ガイドに嵌合される上側嵌合部材と、前記下側ガイドに嵌合される下側嵌合部材と、前記上側嵌合部材と下側嵌合部材との間に張設される紐体とを具備しており、前記上側ガイド及び下側ガイドには、上側嵌合部材と下側嵌合部材がそれぞれ嵌合する複数個の連なった嵌合穴が等間隔で形成されており、前記上側嵌合部材は、前記嵌合穴に固定的に嵌まり込み、嵌まり込んだ状態で上側ガイドから覗く位置に嵌合凹部が形成された嵌合ブロックと、この嵌合ブロックに回転可能に嵌まり込む嵌合体とを有しており、前記紐体は前記嵌合体を回転させることで嵌合体に巻き取られ、前記嵌合ブロックと嵌合体との間には嵌合体の回転を係止する係止手段が設けられていることを特徴とする鳥害防止具。
【請求項１０】
前記嵌合体は、中腹部が紐体を巻き取るために他の部分より小径に形成されていることを特徴とする請求項９記載の鳥害防止具。
【請求項１１】
前記嵌合体は、嵌合ブロックに嵌まり込んだ状態で上側ガイドから覗く面に、凹部が形成されていることを特徴とする請求項９又は１１記載の鳥害防止具。
【請求項１２】
前記嵌合材は、前記凹部が形成された面と対向する面には嵌合ブロックの嵌合凹部に連通して開設された支持穴に嵌まり込む支持突起が形成されていることを特徴とする請求項９、１０又は１１記載の鳥害防止具。
【請求項１３】
前記上側ガイド及び／又は下側ガイドの嵌合穴の間には、嵌合穴同士を完全に分断する隔壁が形成されていることを特徴とする請求項５、６、７、８、９、１０、１１又は１２記載の鳥害防止具。
【請求項１４】
前記上側ガイド及び／又は下側ガイドの嵌合穴の間には、嵌合穴同士を完全に分断する隔壁が形成されていないことを特徴とする請求項５、６、７、８、９、１０、１１又は１２記載の鳥害防止具。
【発明の詳細な説明】
【０００１】
【発明の属する技術分野】
本発明は、マンションのベランダなどへの鳥類の侵入を防止するのに使用される鳥害防止具に関する。
【０００２】
【従来の技術】
近時、マンションなどの集合住宅での鳩の糞による被害が大きな問題となっている。特に、これらの集合住宅の比較的高層階のベランダでの糞による汚れが顕著化し、見栄えの点ばかりか衛生面でも放置できない問題になっている。
【０００３】
この問題を解決するために、各種の鳥害防止ネットが市販されている。これらのネットでベランダを覆うことにより、鳩の侵入が防止され、糞害も防止されることになる。
【０００４】
【発明が解決しようとする課題】
しかしながら、鳥害防止ネットの場合、なかば恒久的な設置になる。従って、その設置は、一般の家庭の主婦等の素人にとっては非常に難しいものである。また、ネットの一部が破損した場合には、ネット全体を交換する必要があるという問題もあった。
【０００５】
本発明は上記事情に鑑みて創案されたものであって、簡単に設置することができる鳥害防止具を提供することを目的としている。
【０００６】
【課題を解決するための手段】
本発明に係る鳥害防止具は、マンションのベランダ等の天井面に取り付けられる断面略凹字形状の上側ガイドと、マンションのベランダ等の床面に取り付けられ、前記上側ガイドの下側に位置する断面略凹字形状の下側ガイドと、前記上側ガイドに嵌合される上側嵌合部材と、前記下側ガイドに嵌合される下側嵌合部材と、前記上側嵌合部材と下側嵌合部材との間に張設される紐体とを備えている。
【０００７】
【発明の実施の形態】
図１は本発明の第１、第２及び第３の実施の形態に係る鳥害防止具の使用状態を示す概略的斜視図、図２は本発明の第１の実施の形態に係る鳥害防止具に用いられる上側ガイド及び下側ガイドの概略的一部破断斜視図、図３は本発明の第１の実施の形態に係る鳥害防止具に用いられる上側嵌合部材及び下側嵌合部材の概略的斜視図、図４は本発明の第１の実施の形態に係る鳥害防止具に用いられる上側嵌合部材の概略的平面図、図５は本発明の第１の実施の形態に係る鳥害防止具に用いられる上側嵌合部材の使用状態の概略的斜視図である。
【０００８】
また、図６は本発明の第２の実施の形態に係る鳥害防止具に用いられる上側ガイド及び上側嵌合部材の概略的斜視図、図７は本発明の第２の実施の形態に係る鳥害防止具に用いられる上側ガイド及び上側嵌合部材の図面であって、同図（Ａ）は概略的正面図、同図（Ｂ）は概略的断面図、図８は本発明の第２及び第３の実施の形態に係る鳥害防止具に用いられる下側ガイド及び下側嵌合部材の概略的斜視図、図９は本発明の第２の実施の形態に係る鳥害防止具に用いられる上側嵌合部材の他の形態を示す概略的側面図である。
【０００９】
さらに、図１０は本発明の第３の実施の形態に係る鳥害防止具に用いられる上側嵌合部材を構成する嵌合体及び嵌合ブロックの概略的斜視図、図１１は本発明の第３の実施の形態に係る鳥害防止具に用いられる上側嵌合部材を構成する嵌合体の図面であって、同図（Ａ）は概略的側面図、同図（Ｂ）は概略的正面図、図１２は本発明の第３の実施の形態に係る鳥害防止具に用いられる上側嵌合部材を構成する嵌合ブロックの図面であって、同図（Ａ）は概略的断面図、同図（Ｂ）は概略的正面図、同図（Ｃ）は概略的底面図、図１３は本発明の第３の実施の形態に係る鳥害防止具に用いられる上側ガイドの概略的斜視図、図１４は本発明の第３の実施の形態に係る鳥害防止具に用いられる上側ガイドの図面であって、同図（Ａ）は概略的断面図、同図（Ｂ）は概略的正面図、同図（Ｃ）は概略的底面図である。
【００１０】
本発明の第１の実施の形態に係る鳥害防止具Ａは、図１に示すように、マンションのベランダ等の天井面ａに取り付けられる断面略凹字形状の上側ガイド１００Ａと、マンションのベランダ等の床面ｂに取り付けられ、前記上側ガイド１００Ａの下側に位置する断面略凹字形状の下側ガイド２００Ａと、前記上側ガイド１００Ａに嵌合される上側嵌合部材３００Ａと、前記下側ガイド２００に嵌合される下側嵌合部材４００Ａと、前記上側嵌合部材３００Ａと下側嵌合部材４００Ａとの間に張設される紐体５００Ａとを有している。
【００１１】
前記上側ガイド１００Ａは、図２（Ａ）に示すように、断面が略凹字形状に形成されており、内部には所定のピッチ、例えば１０ｍｍ間隔で幅５ｍｍの隔壁１１０Ａが形成されている。この上側ガイド１００Ａの上面１２０Ａには、上側ガイド１００Ａをベランダの天井面ａに取り付けるための両面接着テープ１３０Ａが貼付されている。また、この上側ガイド１００Ａの下面１４０Ａには、後述する上側嵌合部材３００Ａが嵌合された場合に、上側嵌合部材３００Ａに取り付けられた紐体５００Ａを貫通させるためのスリット１５０Ａが所定のピッチ、例えば１０ｍｍ間隔で形成されている。なお、前記スリット１５０Ａは、前記隔壁１１０Ａと隔壁１１０Ａと間の隔壁空間１６０Ａの中央に設けられている。
【００１２】
また、この上側ガイド１００Ａの隔壁１１０Ａの入り口側には、後述する上側ガイド１００Ａに嵌合された場合に、その嵌合状態を維持するための内向きの突起１７０Ａが形成されている。
【００１３】
また、前記下側ガイド２００Ａは、図２（Ｂ）に示すように、断面が略凹字形状に形成されており、内部には所定のピッチ、例えば１０ｍｍ間隔で幅５ｍｍの隔壁２１０Ａが形成されている。この下側ガイド２００Ａの下面２２０Ａには、下側ガイド２００Ａをベランダの床面ｂに取り付けるための両面接着テープ２３０Ａが貼付されている。また、この下側ガイド２００Ａの上面２４０Ａには、後述する下側嵌合部材４００Ａが嵌合された場合に、下側嵌合部材４００Ａに取り付けられた紐体５００Ａを貫通させるためのスリット２５０Ａが所定のピッチ、例えば１０ｍｍ間隔で形成されている。なお、前記スリット２５０Ａは、前記隔壁２１０Ａと隔壁２１０Ａと間の隔壁空間２６０Ａの中央に設けられている。
【００１４】
また、この下側ガイド２００Ａの隔壁２１０Ａの入り口側には、後述する下側ガイド２００Ａが嵌合された場合に、その嵌合状態を維持するための内向きの突起２７０Ａが形成されている。
【００１５】
すなわち、上側ガイド１００Ａと下側ガイド２００Ａとは、上下方向が逆になっただけでまったく同じものである。
【００１６】
一方、前記上側嵌合部材３００Ａは、図３（Ａ）に示すように、略くさび状に形成されており、中央には両側面に逆歯３１１Ａが形成された上側が開放された凹部３１０Ａが形成されている。また、この凹部３１０Ａの底部には、図４に示すように、前記紐体５００Ａを貫通させるための貫通孔３２０Ａが開設されている。この貫通孔３２０Ａは、上側嵌合部材３００Ａが上側ガイド１００Ａに嵌合されると、上側ガイド１００Ａのスリット１５０Ａの真上に位置するようになっている。
【００１７】
前記逆歯３１１Ａは、紐体５００Ａを引っ張ることは許容するが、その逆は許容しないようになっている。具体的には、貫通孔３２０Ａに貫通して凹部３１０Ａに挟み込まれた紐体５００Ａを引っ張ると、逆歯３１１Ａの先端の先鋭部が紐体５００Ａに食い込むようになっているのである。
【００１８】
かかる上側嵌合部材３００Ａは、上側ガイド１００Ａの隔壁１１０Ａと隔壁１１０Ａとの間の隔壁空間１６０Ａに挿入されると、前記凹部３１０Ａが閉じる程度の大きさに設定されている。具体的には、図３（Ａ）や図４に示すように、外側の両側面が下方に行くに従って細くなっているため、隔壁空間１６０Ａに嵌合すると、凹部３１０Ａが閉じられるようになるのである。また、この上側嵌合部材３００Ａは、上側ガイド１００Ａに嵌合されると、前記突起１７０Ａによって抜けずに嵌合状態を維持するようになっている。
【００１９】
また、前記下側嵌合部材４００Ａは、図３（Ｂ）に示すように、略くさび状に形成されており、中央には両側面に逆歯４１１Ａが形成された下側が開放された凹部４１０Ａが形成されている。また、この凹部４１０Ａの上面には、前記紐体５００Ａを貫通させるための貫通孔４２０Ａが開設されている。この貫通孔４２０Ａは、下側嵌合部材４００が下側ガイド２００Ａに嵌合されると、下側ガイド２００Ａのスリット２５０の真下Ａに位置するようになっている。
【００２０】
前記逆歯４１１Ａは、紐体５００Ａを引っ張ることは許容するが、その逆は許容しないようになっている。具体的には、貫通孔４２０Ａに貫通して凹部４１０Ａに挟み込まれた紐体５００Ａを引っ張ると、逆歯４１１Ａの先端の先鋭部が紐体５００Ａに食い込むようになっているのである。
【００２１】
かかる下側嵌合部材４００Ａは、下側ガイド２００Ａの隔壁２１０Ａと隔壁２１０Ａとの間の隔壁空間２６０Ａに挿入されると、前記凹部４１０Ａが閉じる程度の大きさに設定されている。また、この下側嵌合部材４００Ａは、下側ガイド２００Ａに嵌合されると、前記突起２７０Ａによって抜けずに嵌合状態を維持するようになっている。
【００２２】
すなわち、上側嵌合部材３００Ａと下側嵌合部材４００Ａとは、上下方向が逆になっただけでまったく同じものである。
【００２３】
また、前記紐体５００Ａは、例えばナイロン等の耐候性に優れた素材から構成されている。かかる紐体５００Ａの太さは、前記上側ガイド１００Ａのスリット１５０Ａ及び下側ガイド２００Ａのスリット２５０Ａ、上側嵌合部材３００Ａの貫通孔３２０Ａ及び下側嵌合部材４００Ａの貫通孔４２０Ａを貫通することができる程度に設定されている。
【００２４】
次に、上述した上側ガイド１００Ａ等から構成される鳥害防止具Ａをマンションのベランダに取り付ける場合の手順について説明する。
まず、図１に示すように、上側ガイド１００Ａをベランダの天井面ａに、下側ガイド２００Ａをベランダの床面ｂにそれぞれ両面接着テープ１３０Ａ、２３０Ａで取り付ける。この際、上側ガイド１００Ａの真下に下側ガイド２００Ａが位置するようにすることが理想的であるが、若干のずれは許容される。
【００２５】
次に、上側ガイド１００Ａに嵌合される上側嵌合部材３００Ａの貫通孔３２０に紐体５００Ａの一端を貫通させた状態で、上側嵌合部材３００Ａを上側ガイド１００Ａの隔壁１１０Ａと隔壁１１０Ａとの間の隔壁空間１６０Ａに嵌合させる。すると、紐体５００Ａは上側ガイド１００Ａのスリット１５０Ａを通過して下側に垂れ下がることになる。また、上側嵌合部材３００Ａは、隔壁１１０Ａと隔壁１１０Ａとの間の隔壁空間１６０Ａに嵌合されることによって、凹部３１０Ａが閉じられ、紐体５００Ａは凹部３１０Ａの両側面に形成された逆歯３１１Ａによって強固に固定される。
【００２６】
このように、一端が上側嵌合部材３００Ａに固定された紐体５００Ａの他端を下側嵌合部材４００Ａの貫通孔４２０Ａに貫通させる。そして、紐体５００Ａを下側に引っ張った状態で、下側嵌合部材４００Ａを下側ガイド２００Ａの隔壁２１０Ａと隔壁２１０Ａとの間の隔壁空間２６０Ａに嵌合させる。
【００２７】
この状態で、下側嵌合部材４００Ａの貫通孔４２０Ａに貫通された紐体５００Ａの他端を引っ張ると、紐体５００Ａは、上側ガイド１００Ａに嵌合された上側嵌合部材３００Ａと下側ガイド２００Ａに嵌合された下側嵌合部材４００Ａとの間で、ベランダの天井面ａと床面ｂとの間にぴんと張った状態で取り付けられたことになる。
【００２８】
上側ガイド１００Ａの隔壁空間１６０Ａと下側ガイド２００Ａの隔壁空間２６０Ａとに、同様にして紐体５００Ａを順次取り付けていくことによって、ベランダはあたかもすだれのように多数の紐体５００Ａによって外部と分けられる。
【００２９】
なお、上側ガイド１００Ａの隔壁１１０Ａ及び下側ガイド２００Ａの隔壁２１０Ａは１０ｍｍ間隔で形成されているとし、各隔壁１１０Ａ、２１０Ａは幅が５ｍｍであるとしたので、紐体５００Ａは１５ｍｍ間隔で上下方向に平行に張られることになる。
【００３０】
ある程度の期間にわたってこの鳥害防止具Ａを使用することによって、例えば紐体５００Ａが緩んだ場合には、下側ガイド２００Ａに嵌合された下側嵌合部材４００Ａの凹部４１０Ａに挟み込まれている紐体５００Ａを引っ張ることよって、その緩みが解消される。
【００３１】
また、紐体５００Ａが切れた場合には、切れた紐体５００Ａが取り付けられていた上側嵌合部材３００Ａ及び下側嵌合部材４００Ａを上側ガイド１００Ａ及び下側ガイド２００Ａから取り外し、上述したのと同様の取付手順で張りなおすことで対応することができる。
【００３２】
なお、上述した説明では、上側ガイド１００Ａの隔壁１１０Ａ及び下側ガイド２００Ａの隔壁２１０Ａは１０ｍｍ間隔で形成されているとしたが、この数値に限定されないことはいうまでもない。ただし、鳩のベランダへの侵入を防止するためには、紐体５００Ａの間隔を１０ｍｍ〜２０ｍｍとすることが有効であることが確認されている。
【００３３】
また、上側嵌合部材３００Ａは、両側面に凹部を設けておくことも可能である。この場合には、上側ガイド１００Ａの隔壁１１０Ａに内向きの突起を形成しておき、上側嵌合部材３００Ａが上側ガイド１００Ａに完全に嵌合された状態で、前記凹部に突起が嵌合するようにする。このように構成することによって、上側嵌合部材３００Ａの上側ガイド１００Ａへの嵌合がより強固になるという効果がある。これは、下側嵌合部材３００Ａと下側ガイド２００Ａとでも同様である。
【００３４】
さらに、上側ガイド１００Ａ及び下側ガイド２００Ａは、両面接着テープ１３０Ａ、２３０Ａでベランダの天井面ａに取り付けるとしたが、さらにビスでより強固に取り付けるようにすることも可能である。ただし、一般の家庭の主婦等の素人にとってはコンクリート等からなるベランダの天井面ａにビス止めすることは困難であるので、両面接着テープ１３０Ａ、２３０Ａのみで上側ガイド１００Ａを取り付けるようにすることのほうが作業性の点から望ましい。これは、下側嵌合部材４００Ａでも同様である。
【００３５】
また、上述した第１の実施の形態では、上側嵌合部材３００Ａ及び下側嵌合部材４００Ａの両方に、逆歯３１１Ａ、４１１Ａを設けたが、いずれか一方にのみ逆歯を設けるようにしてもよい。この場合には、逆歯が設けられていない側の嵌合部材には、紐体５００Ａの一端が予め固定されているようにしておく。設置時の安全性を考慮すると、紐体５００Ａは、上側嵌合部材３００Ａに固定しておくことが望ましい。
【００３６】
次に、本発明の第２の実施の形態に係る鳥害防止具Ｂについて、図１、図６〜図９を参照しつつ説明する。
この本発明の第２の実施の形態に係る鳥害防止具は、マンションのベランダ等の天井面ａに取り付けられる上側ガイド１００Ｂと、マンションのベランダ等の床面ｂに取り付けられ、前記上側ガイド１００Ｂの下側に位置する下側ガイド２００Ｂと、前記上側ガイド１００Ｂに嵌合される上側嵌合部材３００Ｂと、前記下側ガイド２００Ｂに嵌合される下側嵌合部材４００Ｂと、前記上側嵌合部材３００Ｂと下側嵌合部材４００Ｂとの間に張設される紐体５００Ｂとを備えており、前記上側ガイド１００Ｂ及び下側ガイド２００Ｂには、それぞれ上側嵌合部材１００Ｂ及び下側嵌合部材４００Ｂが嵌合される複数個の嵌合穴１１０Ｂ、２１０Ｂが等間隔で形成されており、前記上側嵌合部材３００Ｂは、前記嵌合穴１１０Ｂに回転可能に嵌合し、前記紐体５００Ｂは上側嵌合部材３００Ｂを回転させることで上側嵌合部材３００Ｂに巻き取られ、前記嵌合穴１１０Ｂと上側嵌合部材３００Ｂとの間には上側嵌合部材３００Ｂの回転を係止する係止手段が設けられている。
【００３７】
この本発明の第２の実施の形態に係る鳥害防止具Ｂが、第１の実施の形態に係るものと大幅に異なる点は、上側嵌合部材３００Ｂと、この上側嵌合部材３００Ｂが嵌合する上側ガイド１００Ｂである。
【００３８】
すなわち、本発明の第２の実施の形態に係る鳥害防止具における上側嵌合部材３００Ｂは、図６等に示すように、全体が略砲弾型であって、先端が丸くなった略円柱形状の先端部３１０Ｂと、この先端部３１０Ｂに続く円柱形状の紐巻部３２０Ｂと、この紐巻部３２０Ｂに続く略円柱形状の後端部３３０Ｂとが一体に形成されたものである。紐巻部３２０Ｂは、先端部３１０Ｂと後端部３３０Ｂとの間に挟まれており、上側嵌合部材３００Ｂの中腹部に相当している。この紐巻部３２０Ｂの直径は、先端部３１０Ｂ及び後端部３３０Ｂの直径より小さく設定されている。これは、この部分に紐体５００Ｂを巻き取るため、巻き代として先端部３１０Ｂ等より小径になっているのである。
【００３９】
また、後端部３３０Ｂの端面、すなわち先端部３１０Ｂを先にして上側ガイド１００Ｂの嵌合穴１１０Ｂに嵌合させた場合、上側ガイド１００Ｂから覗く部分には、マイナスドライバーの歯先を挿入することができる凹部３３１Ｂが形成されている。この凹部３３１Ｂにマイナスドライバーの歯先を挿入して、上側嵌合部材３００Ｂを上側ガイド１００Ｂの嵌合穴１１０Ｂ内で回転させるのである。
【００４０】
また、後端部３３０Ｂの周面には、１８０°ずれた位置に逆向きの２つの嵌合部材側段差部３３２Ｂが形成されている。この嵌合部材側段差部３３２Ｂは、後述するガイド側段差部１１１Ｂとともに係止手段の一部を構成するものである。
【００４１】
また、後端部３３０Ｂの嵌合部材側段差部３３２Ｂから９０°ずれた位置の周面には、略Ｖ字形状の溝３３３Ｂが形成されている。この溝３３３Ｂは、後述する溝３１１Ｂとともに、紐体５００Ｂを上側嵌合部材３００Ｂに固定するためのものである。
【００４２】
一方、先端部３１０Ｂの先端は、図７（Ｂ）に示すように半球状に形成されている。また、この先端部３１０Ｂの周面から先端に掛けて１８０°ずれた位置に略Ｖ字形状の溝３１１Ｂが形成されている。この溝３１１Ｂは、後端部３３０Ｂの溝３３３Ｂと同じ位置に形成されている。
【００４３】
このように構成された上側嵌合部材３００Ｂには、以下のようにして紐体５００Ｂが固定される。まず、紐体５００Ｂの端部を紐巻部３２０Ｂに２〜３周巻き付け、さらに、紐体５００Ｂを溝３３３Ｂ、３１１Ｂに挿入する。さらに、紐体５００Ｂを紐巻部３２０Ｂに１〜２周巻き付ける。これによって、紐体５００Ｂは、上側嵌合部材３００Ｂに対して固定されるのである。
【００４４】
一方、下側嵌合部材４００Ｂは、下側ガイド２００Ｂの嵌合穴２１０Ｂに嵌合された状態で回転する必要がないので、図８に示すように、単に砲弾型のものであり、紐体５００Ｂが予め固定されている。
【００４５】
ところで、前記上側ガイド１００Ｂは、図６、図７に示すように、複数の嵌合穴１１０Ｂが等間隔で開設されている。この嵌合穴１１０Ｂは、上述の上側嵌合部材３００Ｂが嵌合される部分である。この嵌合穴１１０Ｂの周面には、１８０°ずれた位置に２つのガイド側段差部１１１Ｂが形成されている。このガイド側段差部１１１Ｂは、上述した上側嵌合部材３００Ｂの嵌合部材側段差部３３２Ｂとともに、係止手段を構成するものである。従って、嵌合穴１１０Ｂに上側嵌合部材３００Ｂを嵌合させた状態で、ガイド側段差部１１１Ｂと嵌合部材側段差部３３２Ｂとは、逆方向になるように設定されている。
【００４６】
また、前記上側ガイド１００Ｂの下面１２０Ｂには、前記嵌合穴１１０Ｂと連通したスリット１２１Ｂと、このスリット１２１Ｂの終端部と連結した貫通孔１２２Ｂとが開設されている。このスリット１２２Ｂは、紐体５００Ｂが固定された上側嵌合部材３００Ｂを上側ガイド１００Ｂの嵌合穴１１０Ｂに嵌合させる際に、紐体５００Ｂが通過する部分である。また、前記貫通孔１２２Ｂは、上側嵌合部材３００Ｂが上側ガイド００１Ｂの嵌合穴１１０Ｂに完全に嵌合した状態で、紐体５００Ｂが通過する部分である。従って、貫通孔１２２Ｂは、嵌合穴１１０Ｂに嵌合した上側嵌合部材３００Ｂの紐巻部３２０Ｂの真下に位置することになる。
【００４７】
さらに、この上側ガイド１００Ｂの嵌合穴１１０Ｂが開設された側の上縁部及び下縁部には、嵌合穴１１０Ｂの一部に被さる突脈１３０Ｂが形成されている。この突脈１３０Ｂは、嵌合穴１１０Ｂに嵌合された上側嵌合部材３００Ｂの抜け止め機能を有している。
【００４８】
なお、前記上側ガイド１００Ｂの上面１２０Ｂには、図６に示すように、上側ガイド１００Ｂをベランダの天井面ａに取り付けるための両面接着テープ１４０Ｂが貼付されている。
【００４９】
一方、下側ガイド２００Ｂは、図８に示すように、複数の嵌合穴２１０Ｂが等間隔で開設されている。この嵌合穴２１０Ｂは、下側嵌合部材４００Ｂが嵌合される部分である。また、この下側ガイド２００Ｂの上面２２０Ｂには、嵌合穴２１０Ｂと連通したスリット２２１Ｂと、このスリット２２１Ｂの終端部と連結した貫通孔２２２Ｂとが開設されている。このスリット２２１Ｂは、紐体５００Ｂが固定された下側嵌合部材４００Ｂを下側ガイド２００Ｂの嵌合穴２１０Ｂに嵌合させる際に、紐体５００Ｂが通過する部分である。また、前記貫通孔２２２Ｂは、下側嵌合部材４００Ｂが下側ガイド２００Ｂの嵌合穴２０１Ｂに完全に嵌合した状態で、紐体５００Ｂが通過する部分である。
【００５０】
さらに、この下側ガイド２００Ｂの嵌合穴２１０Ｂが開設された側の上縁部及び下縁部には、嵌合穴２１０Ｂの一部に被さる突脈２３０Ｂが形成されている。この突脈２３０Ｂは、嵌合穴２１０Ｂに嵌合された下側嵌合部材４００Ｂの抜け止め機能を有している。
【００５１】
また、前記紐体５００Ｂは、例えばナイロン等の耐候性に優れた素材から構成されている。かかる紐体５００Ｂの太さは、前記上側ガイド１００Ｂのスリット２２１Ｂ及び下側ガイド２００Ｂのスリット２２１Ｂ、上側嵌合部材３００Ｂの貫通孔３２０Ｂ及び下側嵌合部材４００Ｂの貫通孔４２０Ｂを貫通することができる程度に設定されている。
【００５２】
次に、このような部材から構成された本発明の第２の実施の形態に係る鳥害防止具をマンションのベランダに取り付ける場合の手順について説明する。
まず、図１に示すように、上側ガイド１００Ｂをベランダの天井面ａに、下側ガイド２００Ｂをベランダの床面ｂにそれぞれ両面接着テープ１４０Ｂ、２４０Ｂで取り付ける。この際、上側ガイド１００Ｂの真下に下側ガイド２００Ｂが位置するようにすることが理想的であるが、若干のずれは許容される。
【００５３】
次に、下側ガイド２００Ｂの嵌合穴２１０Ｂに下側嵌合部材４００Ｂを嵌合させる。この下側嵌合部材４００Ｂには、予め紐体５００Ｂが固定されているので、この紐体５００Ｂは、スリット２２１Ｂを通して貫通孔２２２Ｂを貫通させる。なお、この嵌合穴２１０Ｂへの下側嵌合部材４００Ｂの嵌合は、前記突脈２３０Ｂを乗り越える形で行われる。
【００５４】
次に、上側嵌合部材３００Ｂに紐体５００Ｂを固定した状態で、上側ガイド１００Ｂの嵌合穴１１０Ｂに嵌合させる。もちろん、この際には紐体５００Ｂは、上側ガイド１００Ｂと下側ガイド２００Ｂとの間の距離より若干長くしておく。さもないと、上側嵌合部材３００Ｂが上側ガイド１００Ｂの嵌合穴１１０Ｂに嵌合できないからである。なお、この嵌合穴１１０Ｂへの上側嵌合部材３００Ｂの嵌合は、前記突脈１３０Ｂを乗り越える形で行われる。
【００５５】
すべての上側嵌合部材３００Ｂを上側ガイド１００Ｂの嵌合穴１１０Ｂに嵌合させたならば、上側嵌合部材３００Ｂの凹部３３１Ｂに歯先を挿入したマイナスドライバーで、前記嵌合部材側段差部３３２Ｂ及びガイド側段差部１１１Ｂからなる係止手段に逆らった方向に回転させる。この上側嵌合部材３００Ｂの回転により、紐体５００Ｂは、上側嵌合部材３００Ｂの紐巻部３２０Ｂに巻き取られる。紐体５００Ｂは、上側ガイド１００Ｂと下側ガイド２００Ｂとの間で若干の遊びがあった方がよい。なぜならば、遊びがない状態で紐体５００Ｂが張られると何らかの外力が紐体５００Ｂに加わった際に紐体５００Ｂや上側ガイド１００Ｂ、下側ガイド２００Ｂが破損するおそれがあるからである。
【００５６】
上側嵌合部材３００Ｂは、紐体５００Ｂによって下向きの力が加えられているが、前記係止手段によって上側ガイド１００Ｂの嵌合穴１１０Ｂに固定的に嵌合することになり、紐体５００Ｂの張り具合は変わらない。このようにして、多数の紐体５００Ｂを取り付けることによって、ベランダはあたかもすだれのように多数の紐体５００Ｂによって外部と分けられる。
【００５７】
なお、上側ガイド１００Ｂの嵌合穴１１０Ｂの間隔は２０ｍｍであると、紐体５００Ｂは２０ｍｍ間隔で上下方向に平行に張られることになる。
【００５８】
ある程度の期間にわたってこの鳥害防止具を使用することによって、例えば紐体５００Ｂが緩んだ場合には、上側嵌合部材１００Ｂを嵌合穴１１０Ｂの内部で回転させることによって、その緩みが解消される。
【００５９】
また、紐体５００Ｂが切れた場合には、切れた紐体５００Ｂが取り付けられていた上側嵌合部材３００Ｂ及び下側嵌合部材４００Ｂを上側ガイド１００Ｂ及び下側ガイド２００Ｂから取り外し、上述したのと同様の取付手順で張りなおすことで対応することができる。
【００６０】
なお、上述した説明では、上側ガイド１００Ｂの嵌合穴１１０Ｂ、下側ガイド２００Ｂの嵌合穴２１０Ｂは、２０ｍｍ間隔で形成されているとしたが、この数値に限定されないことはいうまでもない。ただし、鳩のベランダへの侵入を防止するためには、紐体５００Ｂの間隔を１０ｍｍ〜３０ｍｍとすることが有効であることが確認されている。
【００６１】
上述した本発明の第２の実施の形態に係る鳥害防止具を構成する各部材を以下のように変更することも可能である。
まず、前記上側嵌合部材３００Ｂの先端部３１０Ｂは、略半球状に形成されているとしたが、図９に示すように、支持突起３１５Ｂを突出形成することも可能である。このように、先端部３１０Ｂに支持突起３１５Ｂを突出形成した場合には、上側ガイド１００Ｂの嵌合穴１１０Ｂの奥側面には、この支持突起３１５Ｂが嵌まり込む支持穴（図示省略）を形成しておく必要がある。
【００６２】
このように、上側嵌合部材３００Ｂには支持突起３１５Ｂが、上側ガイド１００Ｂには支持穴がそれぞれ形成されていると、支持突起３１５Ｂが紐体５００Ｂを巻き取る際の上側嵌合部材３００Ｂの回転中心となり、回転がスムーズに行われるとうメリットがある。
【００６３】
また、上側嵌合部材３００Ｂの先端部３１０Ｂに設けられる凹部３３１Ｂは、マイナスドライバーの歯先が挿入される形状であるとしたが、プラスドライバーの歯先が挿入される形状であってもよい。
【００６４】
次に、本発明の第３の実施の形態に係る鳥害防止具について、図１、図８、図１０〜図１４を参照しつつ説明する。
この本発明の第３の実施の形態に係る鳥害防止具Ｃは、マンションのベランダ等の天井面ａに取り付けられる上側ガイド１００Ｃと、マンションのベランダ等の床面ｂに取り付けられ、前記上側ガイド１００Ｃの下側に位置する下側ガイド２００Ｃと、前記上側ガイド１００Ｃに嵌合される上側嵌合部材３００Ｃと、前記下側ガイド２００Ｃに嵌合される下側嵌合部材４００Ｃと、前記上側嵌合部材３００Ｃと下側嵌合部材４００Ｃとの間に張設される紐体５００Ｃとを備えており、前記上側ガイド１００Ｃ及び下側ガイド２００Ｃには、上側嵌合部材３００Ｃ及び下側嵌合部材４００Ｃがそれぞれ嵌合する複数個の嵌合穴１１０Ｃ、２１０Ｃが等間隔で形成されており、前記上側嵌合部材３００Ｃは、前記嵌合穴１１０Ｃに固定的に嵌まり込み、嵌まり込んだ状態で上側ガイド１００Ｃから覗く位置に嵌合凹部が形成された嵌合ブロック３１０Ｃと、この嵌合ブロック３１０Ｃに回転可能に嵌まり込む嵌合体３２０Ｃとを有しており、前記紐体５００Ｃは前記嵌合体３２０Ｃを回転させることで嵌合体３２０Ｃに巻き取られ、前記嵌合ブロック３１０Ｃと嵌合体３２０Ｃとの間には嵌合体３２０Ｃの回転を係止する係止手段が設けられている。
【００６５】
この本発明の第３の実施の形態に係る鳥害防止具Ｃが、第２の実施の形態に係るものと大幅に異なる点は、上側嵌合部材３００Ｃと、この上側嵌合部材３００Ｃが嵌合する上側ガイド１００Ｃである。
【００６６】
すなわち、第２の実施の形態における上側嵌合部材３００Ｂは１つの部材であったが、第３の実施の形態における上側嵌合部材３００Ｃは、嵌合ブロック３１０Ｃ嵌合体３２０Ｃとの２つの部材から構成されるのである。
【００６７】
前記嵌合ブロック３１０Ｃは、図１０等に示すように、略八角筒状に形成されている。この嵌合ブロック３１０Ｃの奥面、すなわち嵌合ブロック３１０Ｃを後述する上側ガイド１００Ｃの嵌合穴１１０Ｃに嵌合させた場合、奥側に位置する面には、後述する支持突起３２４Ｃが嵌まり込む円形の貫通孔３１２Ｃが開設されている。また、この嵌合ブロック３１０Ｃの外周面は略八角形であるが、嵌合凹部を構成する内周面３１１Ｃは、嵌合体３２０Ｃスムーズな回転を確保するために略円形に設定されている。さらに、この嵌合ブロック３１０Ｃの下面には、内周面３１１Ｃと連通するスリット３１３Ｃが形成されている。
【００６８】
かかる嵌合ブロック３１０Ｃの両側面は、スリット３１４Ｃによって一部が切りかかれており、その部分が内側に向かって突出している。この内側に向かって突出した部分が、係止手段の一部を構成する係止爪３１５Ｃである。なお、この係止爪３１５Ｃは、左右の両側面において、内周面３１１Ｃの中心を対称点として点対称になっている。
【００６９】
一方、嵌合体３２０Ｃは、図９、図１０に示すように、全体が略砲弾型であって、先端に略円柱形状の支持突起３２４Ｃが形成された先端部３２１Ｃと、この先端部３２１Ｃに続く円柱形状の紐巻部３２２Ｃと、この紐巻部３２２Ｃに続く略円柱形状の後端部３２３Ｃとが一体に形成されたものである。紐巻部３２２Ｃは、先端部３２１Ｃと後端部３２３Ｃとの間に挟まれており、嵌合体３２０Ｃの中腹部に相当している。この紐巻部３２２Ｃの直径は、先端部３２１Ｃ及び後端部３２３Ｃの直径より小さく設定されている。これは、この部分に紐体５００Ｃを巻き取るため、巻き代として先端部３２１Ｃ等より小径になっているのである。
【００７０】
前記支持突起３２４Ｃは、嵌合ブロック３１０Ｃの貫通孔３１２Ｃに嵌まり込むので、支持突起３２４Ｃが紐体５００Ｃを巻き取る際の上側嵌合部材３００Ｃの回転中心となり、回転がスムーズに行われるとうメリットがある。
【００７１】
また、後端部３２３Ｃの端面、すなわち先端部３２１Ｃを先にして嵌合ブロック３１０Ｃに嵌合させた場合、嵌合ブロック３１０Ｃから覗く部分には、マイナスドライバーの歯先を挿入することができる凹部３２５Ｃが形成されている。この凹部３２５Ｃにマイナスドライバーの歯先を挿入して、嵌合体３２０Ｃを嵌合ブロック３１０Ｃの内周面３１１Ｃ内で回転させるのである。
【００７２】
また、後端部３２３Ｃの周面には、１８０°ずれた位置に逆向きの２つの嵌合体側段差部３２６Ｃが形成されている。この嵌合体側段差部３２６Ｃは、前記係止爪３１５Ｃとで係止手段を構成するものである。
【００７３】
また、後端部３２３Ｃの嵌合体側段差部３２６Ｃから９０°ずれた位置の周面には、略Ｖ字形状の溝３２７Ｃが形成されている。この溝３２７Ｃは、後述する溝３２８Ｃとともに、紐体５００Ｃを嵌合体３２０Ｃに固定するためのものである。
【００７４】
一方、先端部３２１Ｃの周面から支持突起３２４Ｃの先端に掛けて、略Ｖ字形状の溝３２８Ｃが形成されている。この溝３２８Ｃは、後端部３２３Ｃの溝３２７Ｃと同じ位置に形成されている。
【００７５】
このように構成された嵌合体３２０Ｃには、以下のようにして紐体５００Ｃが固定される。まず、紐体５００Ｃの端部を紐巻部３２２Ｃに２〜３周巻き付け、さらに、紐体５００Ｃを溝３２７Ｃ、３２８Ｃに挿入する。さらに、紐体５００Ｃを紐巻部３２２Ｃに１〜２周巻き付ける。これによって、紐体５００Ｃは、嵌合体３２０Ｃに対して固定されるのである。
【００７６】
一方、下側嵌合部材４００Ｃは、上述した第２の実施の形態に係る鳥害防止具Ｂにおける下側嵌合部材４００Ｂと同様のものであり、下側ガイド２００Ｃの嵌合穴２１０Ｃに嵌合された状態で回転する必要がないので、単に砲弾型のものであり、紐体５００Ｃが予め固定されている。
【００７７】
ところで、前記上側ガイド１００Ｃは、図１３、図１４に示すように、複数の嵌合穴１１０Ｃが等間隔で開設されている。この嵌合穴１１０Ｃは、上述の上側嵌合部材３００Ｃを構成する嵌合ブロック３１０Ｃが嵌合される部分である。従って、この嵌合穴１１０Ｃは、略八角形状に形成されている。
【００７８】
また、この嵌合穴１１０Ｃは、隣接する嵌合穴１１０Ｃとの間に隔壁がなく、相互に連なっており、各嵌合穴１１０Ｃの間には、略山状の隔壁１５０Ｃが上下方向に向かい合って形成されている。この隔壁１５０Ｃには金属製の補強材（図示省略）がインサートされている。
【００７９】
また、前記上側ガイド１００Ｃの下面１２０Ｃには、前記嵌合穴１１０Ｃと連通したスリット１２１Ｃと、このスリット１２１Ｃの終端部と連結した貫通孔１２２Ｃとが開設されている。このスリット１２１Ｃは、嵌合穴１１０Ｃに嵌合された嵌合ブロック３１０Ｃの内周面３１１Ｃに紐体５００Ｃが固定された嵌合体３２０Ｃを嵌合させる際に、紐体５００Ｃが通過する部分である。また、前記貫通孔１２２Ｃは、嵌合体３２０Ｃが嵌合ブロック３１０Ｃに完全に嵌合した状態で、紐体５００Ｃが通過する部分である。従って、貫通孔１２２Ｃは、嵌合ブロック３１０Ｃに嵌合した嵌合体３２０Ｃの紐巻部３２２Ｃの真下に位置することになる。
【００８０】
さらに、この上側ガイド１００Ｃの嵌合穴１１０Ｃが開設された側の上縁部及び下縁部には、嵌合穴１１０Ｃの一部に被さる突脈１３０Ｃが形成されている。この突脈１３０Ｃは、嵌合穴１１０Ｃに嵌合された上側嵌合部材３００Ｃの抜け止め機能を有している。
【００８１】
一方、下側ガイド２００Ｃは、上述した第２の実施の形態に係る鳥害防止具Ｂにおける下側ガイド２００Ｂと同様のものであり、図８に示すように、複数の嵌合穴２１０Ｃが等間隔で開設されている。この嵌合穴２１０Ｃは、下側嵌合部材４００Ｃが嵌合される部分である。また、この下側ガイド２００Ｃの上面２２０Ｃには、嵌合穴２１０Ｃと連通したスリット２２１Ｃと、このスリット２２１Ｃの終端部と連結した貫通孔２２２Ｃとが開設されている。このスリット２２１Ｃは、紐体５００Ｃが固定された下側嵌合部材４００Ｃを下側ガイド２００Ｃの嵌合穴２１０Ｃに嵌合させる際に、紐体５００Ｃが通過する部分である。また、前記貫通孔２２２Ｃは、下側嵌合部材４００Ｃが下側ガイド２００Ｃの嵌合穴２１０Ｃに完全に嵌合した状態で、紐体５００Ｃが通過する部分である。
【００８２】
さらに、この下側ガイド２００Ｃの嵌合穴２１０Ｃが開設された側の上縁部及び下縁部には、嵌合穴２１０Ｃの一部に被さる突脈２３０Ｃが形成されている。この突脈２３０Ｃは、嵌合穴２１０Ｃに嵌合された下側嵌合部材４００Ｃの抜け止め機能を有している。
【００８３】
次に、このような部材から構成された本発明の第３の実施の形態に係る鳥害防止具Ｃをマンションのベランダに取り付ける場合の手順について説明する。
まず、上側ガイド１００Ｃをベランダの天井面ａに、下側ガイド２００Ｃをベランダの床面ｂにそれぞれ両面接着テープ１４０Ｃ、２４０Ｃで取り付ける。この際、上側ガイド１００Ｃの真下に下側ガイド２００Ｃが位置するようにすることが理想的であるが、若干のずれは許容される。
【００８４】
次に、下側ガイド２００Ｃの嵌合穴２１０Ｃに下側嵌合部材４００Ｃを嵌合させる。この下側嵌合部材４００Ｃには、予め紐体５００Ｃが固定されているので、この紐体５００Ｃは、スリット２２１Ｃを通して貫通孔２２２Ｃを貫通させる。なお、この嵌合穴２１０Ｃへの下側嵌合部材４００Ｃの嵌合は、前記突脈２３０Ｃを乗り越える形で行われる。
【００８５】
次に、上側嵌合部材１００Ｃの嵌合穴１１０Ｃに、嵌合ブロック３１０Ｃを嵌合させる。この際、嵌合ブロック３１０Ｃの下面に形成されたスリット３１３Ｃは、上側ガイド１００Ｃの下面１２０Ｃに形成されたスリット１２１Ｃと一致するようにしておく。なお、この嵌合穴１１０Ｃへの嵌合ブロック３１０Ｃの嵌合は、前記突脈１３０Ｃを乗り越える形で行われる。
【００８６】
上側ガイド１００Ｃの嵌合穴１１０Ｃに嵌合された嵌合ブロック３１０Ｃの内周面３１１Ｃに、紐体５００Ｃを固定した状態で、嵌合体３２０Ｃを嵌合させる。もちろん、この際には紐体５００Ｃは、上側ガイド１００Ｃと下側ガイド２００Ｃとの間の距離より若干長くしておく。さもないと、嵌合体３２０Ｃが嵌合ブロック３１０Ｃの内周面３１１Ｃに嵌合できないからである。
【００８７】
すべての嵌合体３２０Ｃを嵌合ブロック３１０Ｃの内周面３１１Ｃに嵌合させたならば、嵌合体３２０Ｃの凹部３２５Ｃに歯先を挿入したマイナスドライバーで、前記嵌合体側段差部３２６Ｃ及び係止爪３１５Ｃからなる係止手段に逆らった方向に回転させる。この嵌合体３２０Ｃの回転により、紐体５００Ｃは、嵌合体３２０Ｃの紐巻部３２２Ｃに巻き取られる。紐体５００Ｃは、上側ガイド１００Ｃと下側ガイド２００Ｃとの間で若干の遊びがあった方がよい。なぜならば、遊びがない状態で紐体５００Ｃが張られると何らかの外力が紐体５００Ｃに加わった際に紐体５００Ｃや上側ガイド１００Ｃ、下側ガイド２００Ｃが破損するおそれがあるからである。
【００８８】
嵌合体３２０Ｃ及び嵌合ブロック３１０Ｃ、すなわち上側嵌合部材３００Ｃは、紐体５００Ｃによって下向きの力が加えられているが、嵌合体３２０Ｃは、前記係止手段によって嵌合ブロック３１０Ｃの内周面３１１Ｃに固定的に嵌合することになり、紐体５００Ｃの張り具合は変わらない。このようにして、多数の紐体５００Ｃを取り付けることによって、ベランダはあたかもすだれのように多数の紐体５００Ｃによって外部と分けられる。
【００８９】
なお、上側ガイド１００Ｃの嵌合穴１１０Ｃの間隔は２０ｍｍであると、紐体５００Ｃは２０ｍｍ間隔で上下方向に平行に張られることになる。
【００９０】
ある程度の期間にわたってこの鳥害防止具Ｃを使用することによって、例えば紐体５００Ｃが緩んだ場合には、嵌合体３２０Ｃを嵌合ブロック３１０Ｃの内周面３１１Ｃ内部で回転させることによって、その緩みが解消される。
【００９１】
また、紐体５００Ｃが切れた場合には、切れた紐体５００Ｃが取り付けられていた嵌合体３２０Ｃ及び下側嵌合部材４００Ｃを嵌合ブロック３１０Ｃ及び下側ガイド２００Ｃから取り外し、上述したのと同様の取付手順で張りなおすことで対応することができる。
【００９２】
なお、上述した第３の実施の形態における下側ガイド２００Ｃ及び下側嵌合部材４００Ｃは、第２の実施の形態における下側ガイド２００及び下側嵌合部材４００Ｂと同等であるとしたが、上側ガイド１００Ｃ及び下側嵌合部材３００Ｃと同等であってもよいことは勿論である。この場合の方が、部品の製造金型が少なくてすむというメリットがある。
【００９３】
また、上述した第１〜第３の実施の形態に係る鳥害防止具Ａ〜Ｃは、外光の室内への侵入を防止する遮光スクリーンや、室内の様子を外部から窺えないようにするスクリーンとしても利用することができる。
【００９４】
【発明の効果】
本発明に係る鳥害防止具は、マンションのベランダ等の天井面に取り付けられる断面略凹字形状の上側ガイドと、マンションのベランダ等の床面に取り付けられ、前記上側ガイドの下側に位置する断面略凹字形状の下側ガイドと、前記上側ガイドに嵌合される上側嵌合部材と、前記下側ガイドに嵌合される下側嵌合部材と、前記上側嵌合部材と下側嵌合部材との間に張設される紐体とを備えている。
【００９５】
従って、この鳥害防止具であると、単に上側ガイドに上側嵌合部材を、下側ガイドに下側嵌合部材をそれぞれ嵌合させるとともに、両嵌合部材の間に紐体を張るだけなので、簡単に設置することができる。また、紐体が切れたり、緩んだりした場合も簡単に直すことができる。
【００９６】
特に、前記上側嵌合部材及び下側嵌合部材は、同じものであって、両側面に逆歯が形成された凹部が形成されており、前記逆歯は、紐体を引っ張ることは許容するが、その逆は許容しないようになっていると、部品の種類を少なくすることが可能で、常に紐体をぴんと張った状態に維持することができる。
【００９７】
また、前記上側嵌合部材と下側嵌合部材との一方にのみ、両側面に逆歯が形成された凹部が形成されており、前記逆歯は、紐体を引っ張ることは許容するが、その逆は許容しないようにしても、常に紐体をぴんと張った状態に維持することができる。
【００９８】
さらに、前記上側ガイドと下側ガイドとの少なくとも一方には、所定のピッチで隔壁が形成されており、隔壁と隔壁との間に上側嵌合部材及び下側嵌合部材が嵌合可能な隔壁空間が形成されていると、紐体を等間隔で平行に張ることができるので見栄えの点からも優れている。
【００９９】
また、本発明に係る第２の鳥害防止具は、マンションのベランダ等の天井面に取り付けられる上側ガイドと、マンションのベランダ等の床面に取り付けられ、前記上側ガイドの下側に位置する下側ガイドと、前記上側ガイドに嵌合される上側嵌合部材と、前記下側ガイドに嵌合される下側嵌合部材と、前記上側嵌合部材と下側嵌合部材との間に張設される紐体とを備えており、前記上側ガイド及び下側ガイドには、それぞれ上側嵌合部材及び下側嵌合部材が嵌合される複数個の嵌合穴が等間隔で形成されており、前記上側嵌合部材は、前記嵌合穴に回転可能に嵌合し、前記紐体は上側嵌合部材を回転させることで上側嵌合部材に巻き取られ、前記嵌合穴と上側嵌合部材との間には上側嵌合部材の回転を係止する係止手段が設けられている。
【０１００】
このように、上側嵌合部材を回転させることで紐体を巻き取るようにすると、数多くの紐体を簡単に張ることができる。
【０１０１】
また、前記上側嵌合部材は、中腹部が紐体を巻き取るために他の部分より小径に形成されていると、巻き取った紐体が上側ガイドの内部で邪魔にならないというメリットがある。
【０１０２】
さらに、前記上側嵌合部材は、上側ガイドの嵌合穴に嵌合された状態で上側ガイドから覗く面に、凹部が形成されていると、凹部にドライバーの歯先等を挿入して上側嵌合部材を容易に回転させることができて便利である。
【０１０３】
なお、前記上側嵌合部材は、前記凹部が形成された面と対向する面には上側ガイドの嵌合穴に連通して開設された支持穴に嵌まり込む支持突起が形成されていると、上側嵌合部材の回転がスムーズになるというメリットがある。
【０１０４】
さらに、本発明に係る第３の鳥害防止具は、マンションのベランダ等の天井面に取り付けられる上側ガイドと、マンションのベランダ等の床面に取り付けられ、前記上側ガイドの下側に位置する下側ガイドと、前記上側ガイドに嵌合される上側嵌合部材と、前記下側ガイドに嵌合される下側嵌合部材と、前記上側嵌合部材と下側嵌合部材との間に張設される紐体とを備えており、前記上側ガイド及び下側ガイドには、上側嵌合部材と下側嵌合部材がそれぞれ嵌合する複数個の連なった嵌合穴が等間隔で形成されており、前記上側嵌合部材は、前記嵌合穴に固定的に嵌まり込み、嵌まり込んだ状態で上側ガイドから覗く位置に嵌合凹部が形成された嵌合ブロックと、この嵌合ブロックに回転可能に嵌まり込む嵌合体とを有しており、前記紐体は前記嵌合体を回転させることで嵌合体に巻き取られ、前記嵌合ブロックと嵌合体との間には嵌合体の回転を係止する係止手段が設けられている。
【０１０５】
このように、上側嵌合部材を嵌合ブロックと嵌合体との２つの部材に分けると、上側ガイドの嵌合穴を分離する隔壁を設けなくてもよいため、ベランダの寸法に合わせて、上側ガイドを容易に切断することができるようになる。
【図面の簡単な説明】
【図１】本発明の第１、第２及び第３の実施の形態に係る鳥害防止具の使用状態を示す概略的斜視図である。
【図２】本発明の第１の実施の形態に係る鳥害防止具に用いられる上側ガイド及び下側ガイドの概略的一部破断斜視図である。
【図３】本発明の第１の実施の形態に係る鳥害防止具に用いられる上側嵌合部材及び下側嵌合部材の概略的斜視図である。
【図４】本発明の第１の実施の形態に係る鳥害防止具に用いられる上側嵌合部材の概略的平面図である。
【図５】本発明の第１の実施の形態に係る鳥害防止具に用いられる上側嵌合部材の使用状態の概略的斜視図である。
【図６】本発明の第２の実施の形態に係る鳥害防止具に用いられる上側ガイド及び上側嵌合部材の概略的斜視図である。
【図７】本発明の第２の実施の形態に係る鳥害防止具に用いられる上側ガイド及び上側嵌合部材の図面であって、同図（Ａ）は概略的正面図、同図（Ｂ）は概略的断面図である。
【図８】本発明の第２の実施の形態に係る鳥害防止具に用いられる下側ガイド及び下側嵌合部材の概略的斜視図である。
【図９】本発明の第２の実施の形態に係る鳥害防止具に用いられる上側嵌合部材の他の形態を示す概略的側面図である。
【図１０】本発明の第３の実施の形態に係る鳥害防止具に用いられる上側嵌合部材を構成する嵌合体及び嵌合ブロックの概略的斜視図である。
【図１１】本発明の第３の実施の形態に係る鳥害防止具に用いられる上側嵌合部材を構成する嵌合体の図面であって、同図（Ａ）は概略的側面図、同図（Ｂ）は概略的正面図である。
【図１２】本発明の第３の実施の形態に係る鳥害防止具に用いられる上側嵌合部材を構成する嵌合ブロックの図面であって、同図（Ａ）は概略的断面図、同図（Ｂ）は概略的正面図、同図（Ｃ）は概略的底面図である。
【図１３】本発明の第３の実施の形態に係る鳥害防止具に用いられる上側ガイドの概略的斜視図である。
【図１４】本発明の第３の実施の形態に係る鳥害防止具に用いられる上側ガイドの図面であって、同図（Ａ）は概略的断面図、同図（Ｂ）は概略的正面図、同図（Ｃ）は概略的底面図である。
【符号の説明】
１００　　上側ガイド
２００　　下側ガイド
３００　　上側嵌合部材
４００　　下側嵌合部材
５００　　紐体
【図１】
2004105056.tif 000003
【図２】
2004105056.tif 000004
【図３】
2004105056.tif 000005
【図４】
2004105056.tif 000006
【図５】
2004105056.tif 000007
【図６】
2004105056.tif 000008
【図７】
2004105056.tif 000009
【図８】
2004105056.tif 000010
【図９】
2004105056.tif 000011
【図１０】
2004105056.tif 000012
【図１１】
2004105056.tif 000013
【図１２】
2004105056.tif 000014
【図１３】
2004105056.tif 000015
【図１４】
2004105056.tif 000016